(57)【特許請求の範囲】
【請求項１】
無線基地局が、移動局から送信された測定報告に基づいて、該移動局に対するハンドオーバ制御を行うハンドオーバ制御方法であって、
前記移動局が、所定の測定間隔において、複数の異周波数セルにおける無線品質を測定する工程と、
前記移動局が、特定周波数セルにおける無線品質が報告条件を満たすと判定した場合に、該特定周波数セルにおける無線品質が報告条件を満たし続けている期間を計時する該特定周波数セル用のタイマを起動する工程と、
前記移動局が、前記特定周波数セル用のタイマが満了した場合に、前記特定周波数セルにおける無線品質を含む前記測定報告を前記無線基地局に対して送信する工程とを有し、
前記移動局は、第２周波数セル用のタイマが満了した場合であっても、該第２周波数セルよりも高い優先度を有する第１周波数セル用のタイマが起動されている場合には、該第２周波数セルにおける無線品質を含む前記測定報告を前記無線基地局に対して送信しないことを特徴とするハンドオーバ制御方法。
【請求項２】
前記移動局は、前記第１周波数セル用のタイマが満了した場合には、該第１周波数セルにおける無線品質を含む前記測定報告のみを送信することを特徴とする請求項１に記載のハンドオーバ制御方法。
【請求項３】
前記移動局は、前記第１周波数セル用のタイマが満了した場合には、別々のメッセージによって、該第１周波数セルにおける無線品質を含む前記測定報告及び該第２周波数セルにおける無線品質を含む前記測定報告を送信することを特徴とする請求項１に記載のハンドオーバ制御方法。
【請求項４】
前記移動局は、前記第１周波数セル用のタイマが満了した場合には、同一のメッセージによって、該第１周波数セルにおける無線品質を含む前記測定報告及び該第２周波数セルにおける無線品質を含む前記測定報告を送信することを特徴とする請求項１に記載のハンドオーバ制御方法。
【請求項５】
前記移動局は、前記第１周波数セル用のタイマ又は前記第２周波数セル用のタイマを起動した場合には、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始することを特徴とする請求項１に記載のハンドオーバ制御方法。
【請求項６】
前記移動局は、前記第２周波数セル用のタイマが満了した後に、前記第１周波数セル用のタイマが停止した場合には、該第２周波数セルにおける無線品質を含む前記測定報告を前記無線基地局に対して送信することを特徴とする請求項１に記載のハンドオーバ制御方法。
【請求項７】
移動局が、所定の測定間隔において測定した複数の異周波数セルにおける無線品質に基づいて待ち受けを行うセルを再選択するセル再選択方法であって、
前記移動局が、特定周波数セルにおける無線品質が再選択条件を満たすと判定した場合に、該特定周波数セルにおける無線品質が再選択条件を満たし続けている期間を計時する該特定周波数セル用のタイマを起動する工程と、
前記移動局が、前記特定周波数セル用のタイマが満了した場合に、前記特定周波数セルにおける待ち受けを開始する工程とを有し、
前記移動局は、第２周波数セル用のタイマが満了した場合であっても、該第２周波数セルよりも高い優先度を有する第１周波数セル用のタイマが起動されている場合には、該第２周波数セルにおける待ち受けを開始しないことを特徴とするセル再選択方法。
【請求項８】
前記移動局は、前記第１周波数セル用のタイマ又は前記第２周波数セル用のタイマを起動した場合には、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始することを特徴とする請求項７に記載のセル再選択方法。
【請求項９】
前記移動局は、前記第２周波数セル用のタイマが満了した後に、前記第１周波数セル用のタイマが停止した場合には、該第２周波数セルにおける待ち受けを開始することを特徴とする請求項７に記載のセル再選択方法。
【請求項１０】
無線基地局が、移動局から送信された測定報告に基づいて、該移動局に対するハンドオーバ制御を行うように構成されている移動通信システムで用いられる移動局であって、
所定の測定間隔において、複数の異周波数セルにおける無線品質を測定するように構成されている測定部と、
特定周波数セルにおける無線品質が報告条件を満たすと判定した場合に、該特定周波数セルにおける無線品質が報告条件を満たし続けている期間を計時する該特定周波数セル用のタイマを起動し、該特定周波数セル用のタイマが満了した場合に、該特定周波数セルにおける無線品質を含む前記測定報告を前記無線基地局に対して送信するように構成されている測定報告送信部とを具備し、
前記測定報告送信部は、第２周波数セル用のタイマが満了した場合であっても、該第２周波数セルよりも高い優先度を有する第１周波数セル用のタイマが起動されている場合には、該第２周波数セルにおける無線品質を含む前記測定報告を前記無線基地局に対して送信しないように構成されていることを特徴とする移動局。
【請求項１１】
前記測定報告送信部は、前記第１周波数セル用のタイマが満了した場合には、該第１周波数セルにおける無線品質を含む前記測定報告のみを送信するように構成されていることを特徴とする請求項１０に記載の移動局。
【請求項１２】
前記測定報告送信部は、前記第１周波数セル用のタイマが満了した場合には、別々のメッセージによって、該第１周波数セルにおける無線品質を含む前記測定報告及び該第２周波数セルにおける無線品質を含む前記測定報告を送信するように構成されていることを特徴とする請求項１０に記載の移動局。
【請求項１３】
前記測定報告送信部は、前記第１周波数セル用のタイマが満了した場合には、同一のメッセージによって、該第１周波数セルにおける無線品質を含む前記測定報告及び該第２周波数セルにおける無線品質を含む前記測定報告を送信するように構成されていることを特徴とする請求項１０に記載の移動局。
【請求項１４】
前記測定報告送信部が、前記第１周波数セル用のタイマ又は前記第２周波数セル用のタイマを起動した場合には、前記測定部は、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始するように構成されていることを特徴とする請求項１０に記載の移動局。
【請求項１５】
前記測定報告送信部は、前記第２周波数セル用のタイマが満了した後に、前記第１周波数セル用のタイマが停止した場合には、該第２周波数セルにおける無線品質を含む前記測定報告を前記無線基地局に対して送信するように構成されていることを特徴とする請求項１０に記載の移動局。
【請求項１６】
所定の測定間隔において測定した複数の異周波数セルにおける無線品質に基づいて待ち受けを行うセルを再選択するように構成されている移動局であって、
前記所定の測定間隔において、前記複数の異周波数セルにおける無線品質を測定するように構成されている測定部と、
特定周波数セルにおける無線品質が再選択条件を満たすと判定した場合に、該特定周波数セルにおける無線品質が再選択条件を満たし続けている期間を計時する該特定周波数セル用のタイマを起動し、該特定周波数セル用のタイマが満了した場合に、該特定周波数セルにおける待ち受けを開始するように構成されているセル再選択部とを具備し、
前記セル再選択部は、第２周波数セル用のタイマが満了した場合であっても、該第２周波数セルよりも高い優先度を有する第１周波数セル用のタイマが起動されている場合には、該第２周波数セルにおける待ち受けを開始しないように構成されていることを特徴とする移動局。
【請求項１７】
前記セル再選択部が、前記第１周波数セル用のタイマ又は前記第２周波数セル用のタイマを起動した場合には、前記測定部は、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始するように構成されていることを特徴とする請求項１６に記載の移動局。
【請求項１８】
前記セル再選択部は、前記第２周波数セル用のタイマが満了した後に、前記第１周波数セル用のタイマが停止した場合には、該第２周波数セルにおける待ち受けを開始するように構成されていることを特徴とする請求項１６に記載の移動局。
【発明の詳細な説明】
【技術分野】
【０００１】
本発明は、無線基地局が移動局から送信された測定報告に基づいて該移動局に対するハンドオーバ制御を行うハンドオーバ制御方法、及び、移動局に関する。
【０００２】
また、本発明は、移動局が所定の測定間隔において測定した複数の異周波数セルにおける無線品質に基づいて待ち受けを行うセルを再選択するセル再選択方法、及び、移動局に関する。
【背景技術】
【０００３】
ＬＴＥ（Ｌｏｎｇ  Ｔｅｒｍ  Ｅｖｏｌｕｔｉｏｎ）方式の移動通信システムでは、Ｉｄｌｅ状態の移動局ＵＥは、特定周波数セルにおける無線品質が再選択条件を満たすと判定した場合、かかる特定周波数セルにおける無線品質が再選択条件を満たし続けている期間を計時するタイマＴｒｅｓｅｌｅｃｔｉｏｎを起動する。
【０００４】
その後、タイマＴｒｅｓｅｌｅｃｔｉｏｎが満了した場合に、Ｉｄｌｅ状態の移動局ＵＥは、特定周波数セルを、新たに待ち受けを行うセルとして再選択する。
【０００５】
一方、Ｉｄｌｅ状態の移動局ＵＥは、特定周波数セルにおける無線品質が再選択条件を満たさなくなったこと検出した場合、タイマＴｒｅｓｅｌｅｃｔｉｏｎをリセットする。
【０００６】
また、ＬＴＥ方式の移動通信システムでは、ＲＲＣ_Ｃｏｎｎｅｃｔｅｄ状態の移動局ＵＥは、特定周波数セルにおける無線品質が報告条件（Ｒｅｐｏｒｔｉｎｇ  Ｃｒｉｔｅｒｉａ）を満たすと判定した場合、かかる特定周波数セルにおける無線品質が報告条件を満たし続けている期間を計時するタイマＴｔｒｉｇｇｅｒを起動する。
【０００７】
その後、タイマＴｔｒｉｇｇｅｒが満了した場合に、ＲＲＣ_Ｃｏｎｎｅｃｔｅｄ状態の移動局ＵＥは、特定周波数セルにおける無線品質を含む「Ｍｅａｓｕｒｅｍｅｎｔ  Ｒｅｐｏｒｔ（測定報告）」を無線基地局ｅＮＢに対して送信する。
【０００８】
一方、ＲＲＣ_Ｃｏｎｎｅｃｔｅｄ状態の移動局ＵＥは、特定周波数セルにおける無線品質が報告条件を満たさなくなったこと検出した場合、タイマＴｔｒｉｇｇｅｒをリセットする。
【０００９】
ここで、ＬＴＥ方式の移動通信システムでは、Ｉｄｌｅ状態の移動局ＵＥが、複数の異なる周波数セルにおいて待ち受けを行うことができる場合、無線基地局ｅＮＢが、かかるＩｄｌｅ状態の移動局ＵＥに対して、周波数セルごとに、セル再選択（Ｃｅｌｌ  Ｒｅｓｅｌｅｃｔｉｏｎ）を行う際に用いるべき優先度（Ｐｒｉｏｒｉｔｙ）を指定することができる。
【非特許文献１】３ＧＰＰ  ＴＳ３６.３００  Ｖ８.４.０、２００８年３月
【非特許文献２】３ＧＰＰ  ＴＳ３６.３０４  Ｖ８.１.０、２００８年３月
【非特許文献３】３ＧＰＰ  ＴＳ３６.３３１  Ｖ８.１.０、２００８年３月
【発明の開示】
【発明が解決しようとする課題】
【００１０】
しかしながら、従来のＬＴＥ方式の移動通信システムでは、異なる優先度の複数の周波数セルにおいて、タイマＴｒｅｓｅｌｅｃｔｉｏｎが起動された場合に、移動局ＵＥは、どのようにセル再選択を行うべきであるか不明瞭であるという問題点があった。
【００１１】
また、従来のＬＴＥ方式の移動通信システムでは、無線基地局ｅＮＢが、「Ｍｅａｓｕｒｅｍｅｎｔ  Ｒｅｐｏｒｔ（測定報告）」を送信する際に用いるべき優先度を指定することができるように規定されていないが、かかる規定がなされた場合には、上述のセル再選択における問題点と同様の問題点が生じることが想定される。
【００１２】
そこで、本発明は、上述の課題に鑑みてなされたものであり、異なる優先度の複数の周波数セルにおいて、タイマＴｒｅｓｅｌｅｃｔｉｏｎ又はタイマＴｔｒｉｇｇｅｒが起動された場合に、移動局ＵＥは、どのようにセル再選択又は「Ｍｅａｓｕｒｅｍｅｎｔ  Ｒｅｐｏｒｔ（測定報告）」の送信を行うべきであるかについて規定するハンドオーバ制御方法、セル再選択方法及び移動局を提供することを目的とする。
【課題を解決するための手段】
【００１３】
本発明の第１の特徴は、無線基地局が、移動局から送信された測定報告に基づいて、該移動局に対するハンドオーバ制御を行うハンドオーバ制御方法であって、前記移動局が、所定の測定間隔において、複数の異周波数セルにおける無線品質を測定する工程と、前記移動局が、特定周波数セルにおける無線品質が報告条件を満たすと判定した場合に、該特定周波数セルにおける無線品質が報告条件を満たし続けている期間を計時する該特定周波数セル用のタイマを起動する工程と、前記移動局が、前記特定周波数セル用のタイマが満了した場合に、前記特定周波数セルにおける無線品質を含む前記測定報告を前記無線基地局に対して送信する工程とを有し、前記移動局は、第２周波数セル用のタイマが満了した場合であっても、該第２周波数セルよりも高い優先度を有する第１周波数セル用のタイマが起動されている場合には、該第２周波数セルにおける無線品質を含む前記測定報告を前記無線基地局に対して送信しないことを要旨とする。
【００１４】
本発明の第１の特徴において、前記移動局は、前記第１周波数セル用のタイマが満了した場合には、該第１周波数セルにおける無線品質を含む前記測定報告のみを送信してもよい。
【００１５】
本発明の第１の特徴において、前記移動局は、前記第１周波数セル用のタイマが満了した場合には、別々のメッセージによって、該第１周波数セルにおける無線品質を含む前記測定報告及び該第２周波数セルにおける無線品質を含む前記測定報告を送信してもよい。
【００１６】
本発明の第１の特徴において、前記移動局は、前記第１周波数セル用のタイマが満了した場合には、同一のメッセージによって、該第１周波数セルにおける無線品質を含む前記測定報告及び該第２周波数セルにおける無線品質を含む前記測定報告を送信してもよい。
【００１７】
本発明の第１の特徴において、前記移動局は、前記第１周波数セル用のタイマ又は前記第２周波数セル用のタイマを起動した場合には、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始してもよい。
【００１８】
本発明の第１の特徴において、前記移動局は、前記第２周波数セル用のタイマが満了した後に、前記第１周波数セル用のタイマが停止した場合には、該第２周波数セルにおける無線品質を含む前記測定報告を前記無線基地局に対して送信してもよい。
【００１９】
本発明の第２の特徴は、移動局が、所定の測定間隔において測定した複数の異周波数セルにおける無線品質に基づいて待ち受けを行うセルを再選択するセル再選択方法であって、前記移動局が、特定周波数セルにおける無線品質が再選択条件を満たすと判定した場合に、該特定周波数セルにおける無線品質が再選択条件を満たし続けている期間を計時する該特定周波数セル用のタイマを起動する工程と、前記移動局が、前記特定周波数セル用のタイマが満了した場合に、前記特定周波数セルにおける待ち受けを開始する工程とを有し、前記移動局は、第２周波数セル用のタイマが満了した場合であっても、該第２周波数セルよりも高い優先度を有する第１周波数セル用のタイマが起動されている場合には、該第２周波数セルにおける待ち受けを開始しないことを要旨とする。
【００２０】
本発明の第２の特徴において、前記移動局は、前記第１周波数セル用のタイマ又は前記第２周波数セル用のタイマを起動した場合には、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始してもよい。
【００２１】
本発明の第２の特徴において、前記移動局は、前記第２周波数セル用のタイマが満了した後に、前記第１周波数セル用のタイマが停止した場合には、該第２周波数セルにおける待ち受けを開始してもよい。
【００２２】
本発明の第３の特徴は、無線基地局が、移動局から送信された測定報告に基づいて、該移動局に対するハンドオーバ制御を行うように構成されている移動通信システムで用いられる移動局であって、所定の測定間隔において、複数の異周波数セルにおける無線品質を測定するように構成されている測定部と、特定周波数セルにおける無線品質が報告条件を満たすと判定した場合に、該特定周波数セルにおける無線品質が報告条件を満たし続けている期間を計時する該特定周波数セル用のタイマを起動し、該特定周波数セル用のタイマが満了した場合に、該特定周波数セルにおける無線品質を含む前記測定報告を前記無線基地局に対して送信するように構成されている測定報告送信部とを具備し、前記測定報告送信部は、第２周波数セル用のタイマが満了した場合であっても、該第２周波数セルよりも高い優先度を有する第１周波数セル用のタイマが起動されている場合には、該第２周波数セルにおける無線品質を含む前記測定報告を前記無線基地局に対して送信しないように構成されていることを要旨とする。
【００２３】
本発明の第３の特徴において、前記測定報告送信部は、前記第１周波数セル用のタイマが満了した場合には、該第１周波数セルにおける無線品質を含む前記測定報告のみを送信するように構成されていてもよい。
【００２４】
本発明の第３の特徴において、前記測定報告送信部は、前記第１周波数セル用のタイマが満了した場合には、別々のメッセージによって、該第１周波数セルにおける無線品質を含む前記測定報告及び該第２周波数セルにおける無線品質を含む前記測定報告を送信するように構成されていてもよい。
【００２５】
本発明の第３の特徴において、前記測定報告送信部は、前記第１周波数セル用のタイマが満了した場合には、同一のメッセージによって、該第１周波数セルにおける無線品質を含む前記測定報告及び該第２周波数セルにおける無線品質を含む前記測定報告を送信するように構成されていてもよい。
【００２６】
本発明の第３の特徴において、前記測定報告送信部が、前記第１周波数セル用のタイマ又は前記第２周波数セル用のタイマを起動した場合には、前記測定部は、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始するように構成されていてもよい。
【００２７】
本発明の第３の特徴において、前記測定報告送信部は、前記第２周波数セル用のタイマが満了した後に、前記第１周波数セル用のタイマが停止した場合には、該第２周波数セルにおける無線品質を含む前記測定報告を前記無線基地局に対して送信するように構成されていてもよい。
【００２８】
本発明の第４の特徴は、所定の測定間隔において測定した複数の異周波数セルにおける無線品質に基づいて待ち受けを行うセルを再選択するように構成されている移動局であって、前記所定の測定間隔において、前記複数の異周波数セルにおける無線品質を測定するように構成されている測定部と、特定周波数セルにおける無線品質が再選択条件を満たすと判定した場合に、該特定周波数セルにおける無線品質が再選択条件を満たし続けている期間を計時する該特定周波数セル用のタイマを起動し、該特定周波数セル用のタイマが満了した場合に、該特定周波数セルにおける待ち受けを開始するように構成されているセル再選択部とを具備し、前記セル再選択部は、第２周波数セル用のタイマが満了した場合であっても、該第２周波数セルよりも高い優先度を有する第１周波数セル用のタイマが起動されている場合には、該第２周波数セルにおける待ち受けを開始しないように構成されていることを要旨とする。
【００２９】
本発明の第４の特徴において、前記セル再選択部が、前記第１周波数セル用のタイマ又は前記第２周波数セル用のタイマを起動した場合には、前記測定部は、該第１周波数セル又は該第２周波数セルよりも低い優先度を有する第３周波数セルにおける無線品質を測定するための期間において、該第３周波数セルにおける無線品質の測定を停止し、該第１周波数セル又は該第２周波数セルにおける無線品質の測定を開始するように構成されていてもよい。
【００３０】
本発明の第４の特徴において、前記測定報告送信部は、前記第２周波数セル用のタイマが満了した後に、前記第１周波数セル用のタイマが停止した場合には、該第２周波数セルにおける待ち受けを開始するように構成されていてもよい。
【発明の効果】
【００３１】
以上説明したように、本発明によれば、異なる優先度の複数の周波数セルにおいて、タイマＴｒｅｓｅｌｅｃｔｉｏｎ又はタイマＴｔｒｉｇｇｅｒが起動された場合に、移動局ＵＥは、どのようにセル再選択又は「Ｍｅａｓｕｒｅｍｅｎｔ  Ｒｅｐｏｒｔ（測定報告）」の送信を行うべきであるかについて規定するハンドオーバ制御方法、セル再選択方法及び移動局を提供することができる。
【発明を実施するための最良の形態】
【００３２】
（本発明の第１の実施形態に係る移動通信システム）
図１乃至図４を参照して、本発明の第１の実施形態に係る移動通信システムについて説明する。本実施形態では、ＬＴＥ方式の移動通信システムを例に挙げて説明するが、本発明は、かかる例に限定されるものではない。
【００３３】
本実施形態に係る移動通信システムでは、無線基地局ｅＮＢが、移動局ＵＥから送信された「Ｍｅａｓｕｒｅｍｅｔ  Ｒｅｐｏｒｔ（測定報告）」に基づいて、移動局ＵＥに対するハンドオーバ制御を行うように構成されている。
【００３４】
また、本実施形態に係る移動通信システムでは、移動局ＵＥが、所定の測定間隔（ギャップ期間）において測定した複数の異周波数セルにおける無線品質に基づいて待ち受けを行うセルを再選択するように構成されている。
【００３５】
また、図１に示すように、本実施形態には、周波数セルＦ０、周波数セルＦ１、周波数セルＦ２及び周波数セルＦ３が配置されており、セル再選択の際に考慮される優先度及び「Ｍｅａｓｕｒｅｍｅｔ  Ｒｅｐｏｒｔ（測定報告）」の送信の際に考慮される優先度とも、周波数セルＦ１、周波数セルＦ０、周波数セルＦ２、周波数セルＦ３の順に高いものとする。
【００３６】
図２に示すように、本実施形態に係る移動局ＵＥは、優先度管理部１１と、測定部１２と、Ｍｅａｓｕｒｅｍｅｎｔ  Ｒｅｐｏｒｔ送信部１３と、セル再選択部１４とを具備している。
【００３７】
優先度管理部１１は、上述のように、周波数セルごとに、セル再選択の際に考慮される優先度及び「Ｍｅａｓｕｒｅｍｅｔ  Ｒｅｐｏｒｔ（測定報告）」の送信の際に考慮される優先度を管理するように構成されている。
【００３８】
測定部１２は、所定の測定間隔（ギャップ期間）において、複数の異周波数セルにおける無線品質を測定するように構成されている。
【００３９】
本実施形態では、図１に示すように、移動局ＵＥのサービングセルが周波数セルＦ０であるため、後述する場合を除いて、測定部１２は、ギャップ期間（Ｍｅａｓｕｒｅｍｅｎｔ  Ｇａｐ）において、周波数セルＦ１、周波数セルＦ２及び周波数セルＦ３における無線品質を測定するように構成されている。
【００４０】
Ｍｅａｓｕｒｅｍｅｎｔ  Ｒｅｐｏｒｔ送信部１３は、特定周波数セルにおける無線品質が報告条件を満たすと判定した場合に、当該特定周波数セルにおける無線品質が報告条件を満たし続けている期間を計時する当該特定周波数セル用のタイマＴｔｒｉｇｇｅｒを起動し、当該特定周波数セル用のタイマＴｔｒｉｇｇｅｒが満了した場合に、当該特定周波数セルにおける無線品質を含む「Ｍｅａｓｕｒｅｍｅｔ  Ｒｅｐｏｒｔ（測定報告）」を無線基地局ｅＮＢに対して送信するように構成されている。
【００４１】
セル再選択部１４は、特定周波数セルにおける無線品質が再選択条件を満たすと判定した場合に、当該特定周波数セルにおける無線品質が再選択条件を満たし続けている期間を計時する当該特定周波数セル用のタイマＴｒｅｓｅｌｅｃｔｉｏｎを起動し、当該特定周波数セル用のタイマＴｒｅｓｅｌｅｃｔｉｏｎが満了した場合に、当該特定周波数セルにおける待ち受けを開始するように構成されている。
【００４２】
以下、図３及び図４を参照して、本実施形態に係る移動局ＵＥによる異周波数セルにおける無線品質の測定方法及び「Ｍｅａｓｕｒｅｍｅｎｔ  Ｒｅｐｏｒｔ」の送信方法について詳細に説明する。
【００４３】
図３に、周波数セルＦ０乃至Ｆ３における無線品質（ＲＳＲＰ：Ｒｅｆｅｒｅｎｃｅ  Ｓｉｇｎａｌ  Ｒｅｃｅｉｖｅｄ  Ｐｏｗｅｒ）の時間的な変化について示す。
【００４４】
例えば、上述の報告条件として、以下の５種類のイベントＡ１乃至Ａ５を想定することができる。
（イベントＡ１）  Ｓｅｒｖｉｎｇ  ＞  Ｔｈｒｅｓｈ
（イベントＡ２）  Ｓｅｒｖｉｎｇ  ＜  Ｔｈｒｅｓｈ
（イベントＡ３）  Ｎｅｉｇｈｂｏｕｒ  ＞  Ｓｅｒｖｉｎｇ  ＋  Ｏｆｆｓｅｔ
（イベントＡ４）  Ｎｅｉｇｈｂｏｕｒ  ＞  Ｔｈｒｅｓｈ
（イベントＡ５）  Ｓｅｒｖｉｎｇ  ＜  Ｔｈｒｅｓｈ１  ＆  Ｎｅｉｇｈｂｏｕｒ  ＞  Ｔｈｒｅｓｈ２
【００４５】
ここで、「Ｓｅｒｖｉｎｇ」は、サービングセルにおける無線品質（ＲＳＲＰ）であり、「Ｎｅｉｇｈｂｏｕｒ」は、サービングセルの周辺セルにおける無線品質（ＲＳＲＰ）であり、「Ｔｈｒｅｓｈ」、「Ｔｈｒｅｓｈ１」及び「Ｔｈｒｅｓｈ２」は、所定閾値であり、「Ｏｆｆｓｅｔ」は、調整用パラメータである。
【００４６】
例えば、イベントＡ４は、測定対象の周辺セルの優先度がサービングセルの優先度よりも高い場合の報告条件として用いられ、イベントＡ５は、測定対象の周辺セルの優先度がサービングセルの優先度よりも低い場合の報告条件として用いられる。
【００４７】
また、上述の報告条件として、以下の２種類の遷移条件を想定することができる。
（１）  Ｎｅｉｇｈｂｏｕｒ  ＞  Ｔｈｒｅｓｈｘ,ｈｉｇｈ
（２）  Ｓｅｒｖｉｎｇ  ＜  Ｔｈｒｅｓｈｓｅｒｖｉｎｇ  ＆  Ｎｅｉｇｈｂｏｕｒ  ＞  Ｔｈｒｅｓｈｘ,ｈｉｇｈ
【００４８】
ここで、（１）は、測定対象の周辺セルの優先度がサービングセルの優先度よりも高い場合の再選択条件として用いられ、（２）は、測定対象の周辺セルの優先度がサービングセルの優先度よりも低い場合及び同じ場合の再選択条件として用いられる。
【００４９】
区間Ａにおいて、測定部１２は、ギャップ期間において、周波数セルＦ１、周波数セルＦ２、周波数セルＦ３の順番で、無線品質を繰り返し測定する。
【００５０】
時点ｔ１において、Ｍｅａｓｕｒｅｍｅｎｔ  Ｒｅｐｏｒｔ送信部１３は、周波数セルＦ２（第２周波数セル）における無線品質が報告条件（例えば、イベントＡ５）を満たすと判定して、周波数セルＦ２用のタイマＴ２（第２タイマ、上述のＴｔｒｉｇｇｅｒに対応）を起動する。
【００５１】
そして、区間Ｂにおいて、測定部１２は、ギャップ期間において、周波数セルＦ２の優先度よりも低い優先度を有する周波数セルＦ３における無線品質の測定を停止し、周波数セルＦ３における無線品質の測定を測定するための期間において、周波数セルＦ２における無線品質の測定を開始する。
【００５２】
すなわち、区間Ｂにおいて、測定部１２は、ギャップ期間において、周波数セルＦ１、周波数セルＦ２、周波数セルＦ２の順番で、無線品質を繰り返し測定する。
【００５３】
その後、時点ｔ２において、Ｍｅａｓｕｒｅｍｅｎｔ  Ｒｅｐｏｒｔ送信部１３は、周波数セルＦ２（第２周波数セル）よりも高い優先度を有する周波数セルＦ１（第１周波数セル）における無線品質が報告条件（例えば、イベントＡ４）を満たすと判定した場合に、周波数セルＦ１用のタイマＴ１（第１タイマ、上述のＴｔｒｉｇｇｅｒに対応）を起動する。
【００５４】
そして、区間Ｃにおいて、測定部１２は、ギャップ期間において、周波数セルＦ３における無線品質の測定を測定するための期間において、周波数セルＦ２における無線品質の測定を停止し、周波数セルＦ１における無線品質の測定を開始する。
【００５５】
すなわち、区間Ｃにおいて、測定部１２は、ギャップ期間において、周波数セルＦ１、周波数セルＦ２、周波数セルＦ１の順番で、無線品質を繰り返し測定する。
【００５６】
その後、時点ｔ３において、Ｍｅａｓｕｒｅｍｅｎｔ  Ｒｅｐｏｒｔ送信部１３は、周波数セルＦ２用のタイマＴ２がリセットされることなく満了した場合であっても、周波数セルＦ２セルよりも高い優先度を有する周波数セルＦ１用のタイマＴ１が起動されているため、周波数セルＦ２セルにおける無線品質を含む「Ｍｅａｓｕｒｅｍｅｎｔ  Ｒｅｐｏｒｔ」を無線基地局ｅＮＢに対して送信しない。
【００５７】
そして、区間Ｄにおいて、測定部１２は、ギャップ期間において、周波数セルＦ１、周波数セルＦ２、周波数セルＦ１の順番で、無線品質を繰り返し測定する。
【００５８】
その後、時点ｔ４において、Ｍｅａｓｕｒｅｍｅｎｔ  Ｒｅｐｏｒｔ送信部１３は、周波数セルＦ１用のタイマＴ１がリセットされることなく満了した場合、周波数セルＦ１における無線品質を含む「Ｍｅａｓｕｒｅｍｅｎｔ  Ｒｅｐｏｒｔ」を、無線基地局ｅＮＢに対して送信する。
【００５９】
なお、時点ｔ４において、Ｍｅａｓｕｒｅｍｅｎｔ  Ｒｅｐｏｒｔ送信部１３は、周波数セルＦ１における無線品質のみを含む「Ｍｅａｓｕｒｅｍｅｎｔ  Ｒｅｐｏｒｔ」を、無線基地局ｅＮＢに対して送信してもよい。
【００６０】
また、時点ｔ４において、Ｍｅａｓｕｒｅｍｅｎｔ  Ｒｅｐｏｒｔ送信部１３は、同一のメッセージ（例えば、「ＲＲＣ_Ｍｅａｓ_Ｒｅｐｏｒｔ」メッセージ等のＲＲＣメッセージ）によって、周波数セルＦ１における無線品質を含む「Ｍｅａｓｕｒｅｍｅｎｔ  Ｒｅｐｏｒｔ」及び周波数セルＦ２における無線品質を含む「Ｍｅａｓｕｒｅｍｅｎｔ  Ｒｅｐｏｒｔ」を送信してもよい。
【００６１】
また、時点ｔ４において、Ｍｅａｓｕｒｅｍｅｎｔ  Ｒｅｐｏｒｔ送信部１３は、別々のメッセージ（例えば、「ＲＲＣ_Ｍｅａｓ_Ｒｅｐｏｒｔ」メッセージ等のＲＲＣメッセージ）によって、周波数セルＦ１における無線品質を含む「Ｍｅａｓｕｒｅｍｅｎｔ  Ｒｅｐｏｒｔ」及び周波数セルＦ２における無線品質を含む「Ｍｅａｓｕｒｅｍｅｎｔ  Ｒｅｐｏｒｔ」を送信してもよい。
【００６２】
ここで、「Ｍｅａｓｕｒｅｍｅｎｔ  Ｒｅｐｏｒｔ」の送信方法として「Ｅｖｅｎｔ  Ｔｒｉｇｇｅｒｅｄ  Ｐｅｒｉｏｄｉｃａｌ  Ｒｅｐｏｒｔｉｎｇ」が適用されている場合には、Ｍｅａｓｕｒｅｍｅｎｔ  Ｒｅｐｏｒｔ送信部１３は、時点ｔ４以降も、所定周期（Ｒｅｐｏｒｔｉｎｇ  Ｉｎｔｅｒｖａｌ、例えば、Ｒ１秒）ごとに、最大Ｎ回、「Ｍｅａｓｕｒｅｍｅｎｔ  Ｒｅｐｏｒｔ」を送信する必要があるため、区間Ｅにおいて、測定部１２は、ギャップ期間において、周波数セルＦ１、周波数セルＦ２、周波数セルＦ１の順番で、無線品質を繰り返し測定する。
【００６３】
一方、「Ｍｅａｓｕｒｅｍｅｎｔ  Ｒｅｐｏｒｔ」の送信方法として「Ｅｖｅｎｔ  Ｔｒｉｇｇｅｒｅｄ  Ｒｅｐｏｒｔｉｎｇ」が適用されている場合には、時点ｔ３において、Ｍｅａｓｕｒｅｍｅｎｔ  Ｒｅｐｏｒｔ送信部１３が、「Ｍｅａｓｕｒｅｍｅｎｔ  Ｒｅｐｏｒｔ」を送信した後、区間Ｅにおいて、測定部１２は、周波数セルＦ２、Ｆ３における無線品質を測定するための期間において、周波数セルＦ２、Ｆ３における無線品質の測定を再開する。
【００６４】
なお、上述の区間Ｂ乃至Ｄにおいて、測定部１２は、周波数セルＦ３における無線品質の測定を停止しなくてもよい。
【００６５】
同様に、図３及び図４を参照して、本実施形態に係る移動局ＵＥによる異周波数セルにおける無線品質の測定方法及びセル再選択方法について説明する。
【００６６】
区間Ａにおいて、測定部１２は、ギャップ期間において、周波数セルＦ１、周波数セルＦ２、周波数セルＦ３の順番で、無線品質を繰り返し測定する。
【００６７】
時点ｔ１において、セル再選択部１４は、周波数セルＦ２（第２周波数セル）における無線品質が再選択条件（２）を満たすと判定して、周波数セルＦ２用のタイマＴ２（第２タイマ、上述のＴｒｅｓｅｌｅｃｔｉｏｎに対応）を起動する。
【００６８】
そして、区間Ｂにおいて、測定部１２は、ギャップ期間において、周波数セルＦ２の優先度よりも低い優先度を有する周波数セルＦ３における無線品質の測定を停止し、周波数セルＦ３における無線品質の測定を測定するための期間において、周波数セルＦ２における無線品質の測定を開始する。
【００６９】
すなわち、区間Ｂにおいて、測定部１２は、ギャップ期間において、周波数セルＦ１、周波数セルＦ２、周波数セルＦ２の順番で、無線品質を繰り返し測定する。
【００７０】
その後、時点ｔ２において、セル再選択部１４は、周波数セルＦ２（第２周波数セル）よりも高い優先度を有する周波数セルＦ１（第１周波数セル）における無線品質が再選択条件（１）を満たすと判定した場合に、周波数セルＦ１用のタイマＴ１（第１タイマ、上述のＴｒｅｓｅｌｅｃｔｉｏｎに対応）を起動する。
【００７１】
そして、区間Ｃにおいて、測定部１２は、ギャップ期間において、周波数セルＦ３における無線品質の測定を測定するための期間において、周波数セルＦ２における無線品質の測定を停止し、周波数セルＦ１における無線品質の測定を開始する。
【００７２】
すなわち、区間Ｃにおいて、測定部１２は、ギャップ期間において、周波数セルＦ１、周波数セルＦ２、周波数セルＦ１の順番で、無線品質を繰り返し測定する。
【００７３】
その後、時点ｔ３において、セル再選択部１４は、周波数セルＦ２用のタイマＴ２がリセットされることなく満了した場合であっても、周波数セルＦ２セルよりも高い優先度を有する周波数セルＦ１用のタイマＴ１が起動されているため、周波数セルＦ２セルにおける待ち受けを開始しない。
【００７４】
そして、区間Ｄにおいて、測定部１２は、ギャップ期間において、周波数セルＦ１、周波数セルＦ２、周波数セルＦ１の順番で、無線品質を繰り返し測定する。
【００７５】
その後、時点ｔ４において、セル再選択部１４は、周波数セルＦ１用のタイマＴ１がリセットされることなく満了した場合、周波数セルＦ１における待ち受けを開始する。
【００７６】
本発明の第１の実施形態に係る移動通信システムによれば、周波数セルＦ２用のタイマＴ２が起動している場合であっても、より高い優先度の周波数セルＦ１用のタイマＴ１が起動している場合には、周波数セルＦ２における無線品質を含む「Ｍｅａｓｕｒｅｍｅｎｔ  Ｒｅｐｏｒｔ」を送信しないように構成されているため、移動局ＵＥは、より高い優先度の周波数セルに対してハンドオーバを行うことができる。
【００７７】
また、本発明の第１の実施形態に係る移動通信システムによれば、周波数セルＦ２用のタイマＴ２が起動している場合であっても、より高い優先度の周波数セルＦ１用のタイマＴ１が起動している場合には、周波数セルＦ２における待ち受けを開始しないように構成されているため、移動局ＵＥは、より高い優先度の周波数セルに対してセル再選択を行うことができる。
【００７８】
（本発明の第２の実施形態に係る移動通信システム）
図５及び図６を参照して、本発明の第２の実施形態に係る移動通信システムについて説明する。以下、本発明の第２の実施形態に係る移動通信システムについて、本発明の第１の実施形態に係る移動通信システムとの相違点に着目して説明する。
【００７９】
第１に、図５及び図６を参照して、本実施形態に係る移動局ＵＥによる異周波数セルにおける無線品質の測定方法及び「Ｍｅａｓｕｒｅｍｅｎｔ  Ｒｅｐｏｒｔ」の送信方法について詳細に説明する。
【００８０】
区間Ａにおいて、測定部１２は、ギャップ期間において、周波数セルＦ１、周波数セルＦ２、周波数セルＦ３の順番で、無線品質を繰り返し測定する。
【００８１】
時点ｔ１において、Ｍｅａｓｕｒｅｍｅｎｔ  Ｒｅｐｏｒｔ送信部１３は、周波数セルＦ２（第２周波数セル）における無線品質が報告条件（例えば、イベントＡ５）を満たすと判定して、周波数セルＦ２用のタイマＴ２（第２タイマ、上述のＴｔｒｉｇｇｅｒに対応）を起動する。
【００８２】
そして、区間Ｂにおいて、測定部１２は、ギャップ期間において、周波数セルＦ２の優先度よりも低い優先度を有する周波数セルＦ３における無線品質の測定を停止し、周波数セルＦ３における無線品質の測定を測定するための期間において、周波数セルＦ２における無線品質の測定を開始する。
【００８３】
すなわち、区間Ｂにおいて、測定部１２は、ギャップ期間において、周波数セルＦ１、周波数セルＦ２、周波数セルＦ２の順番で、無線品質を繰り返し測定する。
【００８４】
その後、時点ｔ２において、Ｍｅａｓｕｒｅｍｅｎｔ  Ｒｅｐｏｒｔ送信部１３は、周波数セルＦ２（第２周波数セル）よりも高い優先度を有する周波数セルＦ１（第１周波数セル）における無線品質が報告条件（例えば、イベントＡ４）を満たすと判定した場合に、周波数セルＦ１用のタイマＴ１（第１タイマ、上述のＴｔｒｉｇｇｅｒに対応）を起動する。
【００８５】
そして、区間Ｃにおいて、測定部１２は、ギャップ期間において、周波数セルＦ３における無線品質の測定を測定するための期間において、周波数セルＦ２における無線品質の測定を停止し、周波数セルＦ１における無線品質の測定を開始する。
【００８６】
すなわち、区間Ｃにおいて、測定部１２は、ギャップ期間において、周波数セルＦ１、周波数セルＦ２、周波数セルＦ１の順番で、無線品質を繰り返し測定する。
【００８７】
その後、時点ｔ３において、Ｍｅａｓｕｒｅｍｅｎｔ  Ｒｅｐｏｒｔ送信部１３は、周波数セルＦ２用のタイマＴ２がリセットされることなく満了した場合であっても、周波数セルＦ２セルよりも高い優先度を有する周波数セルＦ１用のタイマＴ１が起動されているため、周波数セルＦ２セルにおける無線品質を含む「Ｍｅａｓｕｒｅｍｅｎｔ  Ｒｅｐｏｒｔ」を無線基地局ｅＮＢに対して送信しない。
【００８８】
そして、区間Ｄにおいて、測定部１２は、ギャップ期間において、周波数セルＦ１、周波数セルＦ２、周波数セルＦ１の順番で、無線品質を繰り返し測定する。
【００８９】
その後、時点ｔ４において、周波数セルＦ１における無線品質が報告条件を満たさなくなったため、周波数セルＦ１用のタイマＴ１がリセットされた場合、Ｍｅａｓｕｒｅｍｅｎｔ  Ｒｅｐｏｒｔ送信部１３は、周波数セルＦ２における無線品質を含む「Ｍｅａｓｕｒｅｍｅｎｔ  Ｒｅｐｏｒｔ」を、無線基地局ｅＮＢに対して送信する。 
【００９０】
ここで、「Ｍｅａｓｕｒｅｍｅｎｔ  Ｒｅｐｏｒｔ」の送信方法として「Ｅｖｅｎｔ  Ｔｒｉｇｇｅｒｅｄ  Ｐｅｒｉｏｄｉｃａｌ  Ｒｅｐｏｒｔｉｎｇ」が適用されている場合には、Ｍｅａｓｕｒｅｍｅｎｔ  Ｒｅｐｏｒｔ送信部１３は、時点ｔ４以降も、所定周期（Ｒｅｐｏｒｔｉｎｇ  Ｉｎｔｅｒｖａｌ、例えば、Ｒ１秒）ごとに、最大Ｎ回、「Ｍｅａｓｕｒｅｍｅｎｔ  Ｒｅｐｏｒｔ」を送信する必要があるため、区間Ｅにおいて、測定部１２は、ギャップ期間において、周波数セルＦ１、周波数セルＦ２、周波数セルＦ２の順番で、無線品質を繰り返し測定する。
【００９１】
一方、「Ｍｅａｓｕｒｅｍｅｎｔ  Ｒｅｐｏｒｔ」の送信方法として「Ｅｖｅｎｔ  Ｔｒｉｇｇｅｒｅｄ  Ｒｅｐｏｒｔｉｎｇ」が適用されている場合には、時点ｔ３において、Ｍｅａｓｕｒｅｍｅｎｔ  Ｒｅｐｏｒｔ送信部１３が、「Ｍｅａｓｕｒｅｍｅｎｔ  Ｒｅｐｏｒｔ」を送信した後、区間Ｅにおいて、測定部１２は、周波数セルＦ２、Ｆ３における無線品質を測定するための期間において、周波数セルＦ２、Ｆ３における無線品質の測定を再開する。
【００９２】
なお、上述の区間Ｂ乃至Ｄにおいて、測定部１２は、周波数セルＦ３における無線品質の測定を停止しなくてもよい。
【００９３】
第２に、図５及び図６を参照して、本実施形態に係る移動局ＵＥによる異周波数セルにおける無線品質の測定方法及びセル再選択方法について説明する。
【００９４】
区間Ａにおいて、測定部１２は、ギャップ期間において、周波数セルＦ１、周波数セルＦ２、周波数セルＦ３の順番で、無線品質を繰り返し測定する。
【００９５】
時点ｔ１において、セル再選択部１４は、周波数セルＦ２（第２周波数セル）における無線品質が再選択条件（２）を満たすと判定して、周波数セルＦ２用のタイマＴ２（第２タイマ、上述のＴｒｅｓｅｌｅｃｔｉｏｎに対応）を起動する。
【００９６】
そして、区間Ｂにおいて、測定部１２は、ギャップ期間において、周波数セルＦ２の優先度よりも低い優先度を有する周波数セルＦ３における無線品質の測定を停止し、周波数セルＦ３における無線品質の測定を測定するための期間において、周波数セルＦ２における無線品質の測定を開始する。
【００９７】
すなわち、区間Ｂにおいて、測定部１２は、ギャップ期間において、周波数セルＦ１、周波数セルＦ２、周波数セルＦ２の順番で、無線品質を繰り返し測定する。
【００９８】
その後、時点ｔ２において、セル再選択部１４は、周波数セルＦ２（第２周波数セル）よりも高い優先度を有する周波数セルＦ１（第１周波数セル）における無線品質が再選択条件（１）を満たすと判定した場合に、周波数セルＦ１用のタイマＴ１（第１タイマ、上述のＴｒｅｓｅｌｅｃｔｉｏｎに対応）を起動する。
【００９９】
そして、区間Ｃにおいて、測定部１２は、ギャップ期間において、周波数セルＦ３における無線品質の測定を測定するための期間において、周波数セルＦ２における無線品質の測定を停止し、周波数セルＦ１における無線品質の測定を開始する。
【０１００】
すなわち、区間Ｃにおいて、測定部１２は、ギャップ期間において、周波数セルＦ１、周波数セルＦ２、周波数セルＦ１の順番で、無線品質を繰り返し測定する。
【０１０１】
その後、時点ｔ３において、セル再選択部１４は、周波数セルＦ２用のタイマＴ２がリセットされることなく満了した場合であっても、周波数セルＦ２セルよりも高い優先度を有する周波数セルＦ１用のタイマＴ１が起動されているため、周波数セルＦ２セルにおける待ち受けを開始しない。
【０１０２】
そして、区間Ｄにおいて、測定部１２は、ギャップ期間において、周波数セルＦ１、周波数セルＦ２、周波数セルＦ１の順番で、無線品質を繰り返し測定する。
【０１０３】
その後、時点ｔ４において、周波数セルＦ１における無線品質が再選択条件（１）を満たさなくなったため、周波数セルＦ１用のタイマＴ１がリセットされた場合、セル再選択部１４は、周波数セルＦ２における待ち受けを開始する。 
【０１０４】
（変更例）
なお、本発明は、異ＲＡＴ測定（Ｉｎｔｅｒ-ＲＡＴ  ｍｅａｓｕｒｅｍｅｎｔ）の場合にも適用可能であり、上述のような異周波数測定の場合と同様の効果を得ることができる。
【０１０５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１０６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１０８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１０９】
【図１】本発明の第１の実施形態に係る移動通信システムの全体構成図である。
【図２】本発明の第１の実施形態に係る移動局の機能ブロック図である。
【図３】本発明の第１の実施形態に係る移動局による異周波数セルにおける無線品質の測定方法及び「Ｍｅａｓｕｒｅｍｅｎｔ  Ｒｅｐｏｒｔ」の送信方法について説明するための図である。
【図４】本発明の第２の実施形態に係る移動局による異周波数セルにおける無線品質の測定方法及び「Ｍｅａｓｕｒｅｍｅｎｔ  Ｒｅｐｏｒｔ」の送信方法について説明するための図である。
【図５】本発明の第２の実施形態に係る移動局による異周波数セルにおける無線品質の測定方法及び「Ｍｅａｓｕｒｅｍｅｎｔ  Ｒｅｐｏｒｔ」の送信方法について説明するための図である。
【図６】本発明の第１の実施形態に係る移動局による異周波数セルにおける無線品質の測定方法及び「Ｍｅａｓｕｒｅｍｅｎｔ  Ｒｅｐｏｒｔ」の送信方法について説明するための図である。
【符号の説明】
【０１１０】
ｅＮＢ…無線基地局
ＵＥ…移動局
１１…優先度管理部
１２…測定部
１３…Ｍｅａｓｕｒｅｍｅｎｔ  Ｒｅｐｏｒｔ送信部
１４…セル再選択部
【図１】
0004744544.tif 000002
【図２】
0004744544.tif 000003
【図３】
0004744544.tif 000004
【図４】
0004744544.tif 000005
【図５】
0004744544.tif 000006
【図６】
0004744544.tif 000007